(57)【要約】      （修正有）【課題】液だれを起こしたり、容器の転倒により内容物が流出する等の不具合を解消でき、かつ、簡単な動作で新しい容器に付替えできる付替え式吐出容器を提供する。【解決手段】内容物を充填する容器本体１と、この容器本体１の口頚部１ａに吊り下げ保持される吐出器２と、この吐出器２の中空ステム２ｂにつながる押圧ヘッド３と、容器本体１を付替え可能に収納する外装体６とを備え、外装体６を、吐出器２の中空ステム２ｂの上端部を突出させる上端開放部６ａおよび容器本体１の出し入れ口を形成する下端開放部６ｂをそれぞれ有し、容器本体１を取り囲んでその内側に容器本体１の収納空間を形成する環状帯６ｃと、環状帯６ｃの下部に着脱自在に連係して下端開放部６ｂを閉塞する底蓋６ｄと、環状帯６ｃの上端開放部６ａに吊り下げ保持され押圧ヘッド３をスライド可能に支持するとともに容器本体１の口頚部１ａに着脱自在に係合可能な内筒６ｅとで構成する。【選択図】図１
2015044611.tif 000002
【特許請求の範囲】
【請求項１】
内容物を充填する容器本体と、この容器本体の口頚部に吊り下げ保持される吐出器と、この吐出器の中空ステムにつながる押圧ヘッドと、該容器本体を付替え可能に収納する外装体とを備え、該押圧ヘッドを介して該中空ステムを繰り返し押し込むことによって該吐出器を作動させて容器本体内の内容物を吸引、加圧、圧縮するとともに該押圧ヘッドの先端ノズルを通して内容物を噴出させる吐出容器であって、
前記外装体は、前記吐出器の中空ステムの上端部を露出させる上端開放部および前記容器本体の出し入れ口を形成する下端開放部をそれぞれ有し前記容器本体を取り囲んでその内側に該容器本体の収納空間を形成する環状帯と、該環状帯の下部に着脱自在に連係して該下端開放部を閉塞する底蓋と、該環状帯の上端開放部に吊り下げ保持され前記押圧ヘッドをスライド可能に支持するとともに該容器本体の口頚部に着脱自在に係合可能な内筒からなることを特徴とする付替え式吐出容器。
【請求項２】
前記底蓋は、前記環状帯との連係状態で前記容器本体の底部に当接するクッション材を有することを特徴とする請求項１に記載した付替え式吐出容器。
【請求項３】
前記底蓋および前記環状帯の少なくとも一方に、該環状帯の内側への外気の導入を可能とする少なくとも一つの貫通開孔を設けたことを特徴とする請求項１または２に記載した付替え式吐出容器。
【発明の詳細な説明】
【技術分野】
【０００１】
本発明は、内容物を使い切ったのちにおいて、容器本体を、ポンプの如き吐出器とともに付け替えることによって他の部材をそのまま再利用することができる、付替え式吐出容器に関するものである。
【背景技術】
【０００２】
容器本体の口頚部に吐出器としてのポンプを吊り下げ保持し、該ポンプにつながる押圧ヘッドを繰り返し押し込むことにより容器本体内の内容物を吸引、加圧、圧縮して噴出させる吐出容器は、化粧料や芳香剤、除菌剤、消毒剤等あらゆるものの容器として幅広く利用されている。
【０００３】
この種の容器は、内容物を使い切ったのちは、内容物を詰替えて容器を再利用するのが普通であり、内容物の詰め替えに際しては、吐出器を押圧ヘッドとともに取り外し、容器本体の口頚部を通して内容物を流し入れる煩わしい作業が必要になっていた。
【０００４】
このため、近年に至っては、詰め替え用の内容物が収容された容器そのものを付け替える、例えば特許文献１にみられるような商品も提案されている。
【先行技術文献】
【特許文献】
【０００５】
【特許文献１】特開２００４−１０６９３９号公報
【発明の開示】
【発明が解決しようとする課題】
【０００６】
ところで、上記従来の付け替え式の吐出容器は、押圧ヘッドと吐出器は一体化されており、容器本体の口頚部にカバー（キャップ）をねじ込むことによって吐出器を容器本体に固定する仕組みになっていることから、新しい容器に付け替えるに際しては、古い容器から吐出器を一旦取り外す必要があって以下に述べるような不具合が指摘されていた。
【０００７】
すなわち、吐出器の外周壁や吸引パイプに付着した内容物が垂れてしまいその周囲を汚すのが避けられない。また、付替えるべき容器を誤って転倒させてしまい中身をこぼしてしまることがあるとともに、吐出器の複数回にわたる使用によって雑菌を繁殖させてしまうおそれがある。さらに、中身によっては、空気との接触を避けたいものもあるところ、空気との接触が不可避であり品質の安定的な保持が難しい。
【０００８】
本発明の課題は、容器本体を、ポンプの如き吐出器とともにそっくりそのまま付け替えることによって上記従来の不具合を解消できる付替え式吐出容器を提案するところにある。
【課題を解決するための手段】
【０００９】
本発明は、内容物を充填する容器本体と、この容器本体の口頚部に吊り下げ保持される吐出器と、この吐出器の中空ステムにつながる押圧ヘッドと、該容器本体を付替え可能に収納する外装体とを備え、該押圧ヘッドを介して該中空ステムを繰り返し押し込むことによって該吐出器を作動させて容器本体内の内容物を吸引、加圧、圧縮するとともに該押圧ヘッドの先端ノズルを通して内容物を噴出させる吐出容器において、前記外装体は、前記吐出器の中空ステムの上端部を露出させる開口を形成する上端開放部および前記容器本体の出し入れ口を形成する下端開放部をそれぞれ有し前記容器本体を取り囲んでその内側に該容器本体の収納空間を形成する環状帯と、該環状帯の下部に着脱自在に連結して該下端開放部を閉塞する底蓋と、該環状帯の上端開放部に吊り下げ保持され前記押圧ヘッドをスライド可能に支持するとともに該容器本体の口頚部に着脱自在に係合可能な内筒からなることを特徴とする付替え式吐出容器である。
【００１０】
上記の構成からなる付替え式吐出容器においては、底蓋は、環状帯との連係状態で容器本体の底部に当接するクッション材を有すること、また、底蓋および環状帯の少なくとも一方には、環状帯の内側への外気の導入を可能とする少なくとも一つの貫通開口を設けること、
が本発明の課題解決のための具体的手段として好ましい。
【発明の効果】
【００１１】
上記の構成からなる本発明の付替え式吐出容器によれば、外装体を、吐出器の中空ステムの上端部を露出させる開口を形成する上端開放部、容器本体の出し入れ口を形成する下端開放部をそれぞれ有し、前記容器本体を取り囲んでその内側に容器本体の収納空間を形成する環状帯と、該環状帯の下部に着脱自在に連結して該下端開放部を閉塞する底蓋と、該環状帯の上端開放部に吊り下げ保持され押圧ヘッドをスライド可能に支持するとともに容器本体の口頚部に着脱自在に係合可能な内筒で構成するようにしたため、内筒を容器本体の口頚部から取り外した場合に、押圧ヘッドと、吐出器とが中空ステムにおいて切り離されるが、吐出器と容器本体はそのままの状態に維持されることとなり、内容物が充填された新しい容器を吐出器ごと付け替えることが可能となる。これにより、吐出器を容器本体から取り出す必要がなくなり、容器の付替えに際して従来生じていた不具合（液だれ、転倒による中身の流出、吐出器の複数回使用による雑菌の繁殖、空気との接触による内容物の品質劣化等）を回避することができる。
【００１２】
また、本発明の付替え式吐出容器によれば、底蓋に、環状帯との連係状態で容器本体の底部に当接するクッション材を配置するようにしたため、容器本体の高さ方向において寸法のバラツキがあったとしてもそのバラツキを効果的に吸収して固定することができる。
【００１３】
また、本発明の付替え式吐出容器によれば、底蓋および環状帯の少なくとも一方に、環状帯の内側への外気の導入を可能とする少なくとも一つの貫通開口を設けるようにしたため、内容物が減少して容器そのものが縮減する袋状の容器や内容物の減少に伴って底壁が容器本体の口頚部に向けてスライドする、所謂エアレス容器を容器本体として適用することが可能となる。また、内容物の減少に伴って内層体が外層体から剥離して該内層体が縮減していくデラミタイプの容器（デラミ容器）等を容器本体として適用することもできる。
【００１４】
さらに、本発明では、付替え容器として使用される容器本体については、外装体の内側に配置されることから、装飾や色彩を施した豪華な外装体に比較し安価なものを使用することができる。
【図面の簡単な説明】
【００１５】
【図１】本発明に従う付替え式吐出容器の実施の形態を模式的に示した図である。
【図２】図１に示した付替え式吐出容器において、押圧ヘッドを吐出器から取り外した状態を示した図である。
【図３】（ａ）（ｂ）は、本発明に従う付替え式吐出容器の嵌合部の他の例を示した図である。
【図４】本発明に従う付替え式吐出容器の他の実施の形態を示した図である。
【発明を実施するための形態】
【００１６】
以下、図面を用いて本発明をより具体的に説明する。
図１は、本発明に従う付替え式吐出容器の実施の形態を模式的に示した図であり、図２は、押圧ヘッドを吐出器から取り外した状態（新しい容器に付け替え可能な状態）を示した図である。なお、本発明に従う付替え式吐出容器は、基本的には、合成樹脂を用いて製造される。
【００１７】
図１、図２における符号１は、内容物を充填する充填空間Ｍを備えた容器本体である。この容器本体１は、その頂部に充填空間Ｍに連通する通路を形成する口頚部１ａを有している。ここで表示した容器本体１は、口頚部１ａの下端に肩部１ｂが形成され、この肩部１ｂの下端に胴部１ｃが形成され、さらに、この胴部１ｃの下端に底部１ｄが形成された有底筒状のものを例として示してある。
【００１８】
また、２は、容器本体１の口頚部１ａの内側に吊り下げ保持された吐出器である（断面については図示せず）。吐出器２としてポンプを適用する場合、該吐出器２は、内容物の吸引、加圧空間を形成するシリンダー２ａと、このシリンダー２ａの内側に配置され、その内壁面に沿って上下にスライド可能なピストン（図示せず）と、一端（下端）が該ピストンに連係し、他端（上端）の少なくとも半分程度がシリンダー２ａの上部において突出する中空ステム２ｂと、この中空ステム２ｂをシリンダー２ａ内で上向きの反発力でもって弾性支持するスプリング（図示せず）と、シリンダー２ａ内に配置され、内容物の吸引時にのみ吸引孔を開放する逆止弁（図示せず）とを備えたものにて構成される。
【００１９】
中空ステム２ｂは、シリンダー２ａ内にて加圧、圧縮された内容物を流通させる送給経路を有しており、該中空ステム２ｂに後述する押圧ヘッドを介して押圧力を付与し、該中空ステム２ｂを上下動させることによりピストンをシリンダー２ａ内でスライド（昇降移動）させることができるようになっている。
【００２０】
中空ステム２ｂの上下動にてピストンをスライドさせことにより容器本体１内の内容物は、シリンダー２ａの底部につながる吸引管Ｓを通してシリンダー２ａ内に吸引されるとともに、加圧、圧縮される。
【００２１】
なお、この実施の形態では、吐出器２としてポンプを適用する場合について説明したが、吐出器２としては、スプレータイプの吐出器等、あらゆるタイプの吐出器を適用することが可能であり、ポンプに限定されることはない。
【００２２】
また、３は、吐出器２の中空ステム２ｂに押圧力を付与する押圧ヘッドである。この押圧ヘッド３は、吐出器２の中空ステム２ｂの他端、すなわち、シリンダー２ａの上部において露出する部位に着脱自在に嵌合する開口部３ａが形成されており、中空ステム２ｂの送給経路を通して送給された内容物を該開口部３ａにつながる内部通路３ｂを介して先端ノズル３ｃから噴出させることができるようになっている。押圧ヘッド３の下端には、外側へ向けて水平に張り出したディスク状のベース３ｄが設けられている。
【００２３】
また、４は、吐出器２のシリンダー２ａの上部でその外側壁部に一体的に設けられた打栓式の嵌合部（嵌合キャップ）である。この嵌合部４は、容器本体１の口頚部１ａに着脱自在に嵌合して吐出器２の吊り下げ姿勢を保持し、かつ、該口頚部１ａを密閉状態（閉塞状態）に維持するものであって、シリンダー２ａの外側壁部に直接連結する天板４ａと、この天板４ａの縁部に垂下保持され、口頚部１ａの少なくとも先端部分（上端部分）の周りを取り囲んでその内側に該口頚部１ａとの嵌合空間を形成する周壁４ｂからなっている。
【００２４】
嵌合部４が打栓式である場合、アンダーカットによる嵌合を可能とするため、周壁４ｂの内面壁には環状凸部あるいは環状凹部が設けられ、容器本体１の口頚部１ａの外面壁には該環状凸部、該環状凹部に嵌合可能な環状凹部、環状凸部が設けられることになるが、本発明においては、ねじによって係合させる構造を適用することもできる。なお、嵌合方式は、ねじやアンダーカットによるものに限定されることはなく、その他の嵌合方式を適用してもよい。
【００２５】
また、５は、嵌合部４の周壁４ｂに部分的に設けられた切欠き部である。この切り欠き部５は、下向きに開放された開放端を有するものを例として示してある。この切欠き部５によって隙間部Ｐを設けることにより、この隙間部Ｐにコインの如き薄肉片を差し入れて抉じ開けることにより吐出器２を容器本体１から容易に取り外すことができる。
【００２６】
上記の構造によれば容器本体１を付替えるに当たって該容器本体１内に内容物が残存している場合であっても、吐出器２を取り外して容器本体１を傾けることによって容器内に残存している内容物を全て取り出すことが可能となる。しかも、吐出器２と容器本体１との切り離しが容易となるため、使用済みの容器を廃棄処分するに当たって分別廃棄を簡単に行い得る。
【００２７】
隙間部Ｐは、図３（ａ）に示すように、周壁４ｂの寸法を短くしてその周りの全域に設けるようにしてもよいし、図３（ｂ）に示すように、切欠き部５を複数設けて間欠的に形成してもよく、その形状や個数について限定されることはない。
【００２８】
また、符号６は、容器本体１を付替え可能に収納する外装体である。この外装体６は、吐出器２の中空ステム２ｂの上端部を露出させる上端開放部６ａと、容器本体１の出し入れ口を形成する下端開放部６ｂをそれぞれ有し容器本体１を取り囲んでその内側に容器本体１の収納空間を形成する環状帯（筒状体）６ｃと、この環状帯６ｃの下部にねじにより着脱自在に連係して下端開放部６ｂを閉塞する底蓋６ｄと、該環状帯６ｃの上端開放部６ａ（天板６ｃ１の裏面）において吊り下げ保持され、押圧ヘッド３をスライド可能に支持するとともに容器本体１の口頚部１ａに着脱自在に係合可能な内筒６ｅから構成されている。
【００２９】
上記環状帯６ｃは、具体的には、上端開放部６ａを形成する天板６ｃ１と、この天板６ｃ１の縁部に一体連結した筒体６ｃ２からなるものを例として示したが、この環状帯６ｃは、押圧ヘッド３の外観形状あるいは容器本体１の外観形状によってその形状を適宜変更することが可能であり、図示のものに限定されることはない。
【００３０】
また、底蓋６ｄは、容器本体１の底部１ｄの下面に位置する底板６ｄ１と、この底板６ｄ１の縁部に起立状態で一体連結してその内側に上部に向けて開放された凹所を形成する周壁６ｄ２とで構成されたものが適用される。
【００３１】
さらに、内筒６ｅについては、吐出器２の中空ステム２ｂを通過させる貫通孔を有するディスク状のベース６ｅ１と、このベース６ｅ１の縁部に一体連結し容器本体１の口頚部１ａを取り囲むように該縁部において垂下する周壁６ｅ２と、ベース６ｅ１の上面で該貫通孔を取り囲んで起立するとともに環状帯６ｃの天板６ｃ１に一体連結する周壁６ｅ３とからなるもので構成することが可能であり、周壁６ｅ３の上端もしくは上端開放部６ａには、押圧ヘッド３のベース３dの外縁部に形成された爪部(後述する符号９に対応する)に当接して該押圧ヘッド３を抜け止め保持する爪部６ｆが設けられる。爪部６ｆは、上端開放部６ａの下端部に切欠き凹部を設けることによって成形することができる。
【００３２】
なお、内筒６ｅは、周壁６ｅ２の内壁面に形成されたねじ部を、口頚部１ａの外壁面に設けられたねじ部に係合させるものを例として示したが、それらの部材のいずれか一方に環状の凸部を設け、もう一方に環状の凹部を設けて該環状の凸部を該環状の凹部に嵌合させる、所謂アンダーカットにより係合（嵌合）させることも可能であり、係合（嵌合）方式については任意のものを適宜適用することができる。
【００３３】
また、７は、底蓋６ｄの周壁６ｄ２の上部外周面に設けられ、外装体６の環状帯６ｃの下部内周面に形成されたねじ部６ｇに係合可能なねじ部、８は、底蓋６ｄの底板６ｄ１の上に設置されたディスク状のクッション材である。このクッション材８は、底蓋６ｄを取り付けて環状帯６ｃの下端開放部６ｂを閉塞したとき、容器本体１の底部に当接してその高さ方向のバラツキを吸収する機能を有している。
【００３４】
符号９は、押圧ヘッド３のベース３ｄの外縁部に設けられた爪部である。この爪部９は、外装体６の上端開放部６ａあるいは周壁６ｅ３の内壁面に設けられた爪部６ａに当接可能になっており、該爪部９が該爪部６ａに突き当たることにより押圧ヘッド３の、内筒６ｅ（周壁６ｅ３）からの抜け出しを防止している。爪部９は、押圧ヘッド３の全周にわたって連続的に伸延する板状片を適用してもよいし、間隔をおいて間欠的に突出させた複数の舌片を適用してもよい。
【００３５】
さらに、１０は、押圧ヘッド３を内側に収め、外装体６の環状帯６ｃの上部に着脱自在に嵌合（アンダーカット嵌合等）可能なオーバーキャップである。このオーバーキャップ１０は、ねじ部によって環状帯６ｃに着脱自在に係合させる構造のものを適用することもできる。オーバーキャップ１０の嵌合方式は、ねじやアンダーカットに限定されるものではなく、他の嵌合方式を採用することもできる。
【００３６】
オーバーキャップ１０は、必要に応じて設けられるものであり、とくにオーバーキャップ１０の取り付けが不要な吐出容器にあっては、押圧ヘッド３に不用意な外力が作用して押し込まれるのを回避するためストッパーを設けておくのが好ましい。ストッパーとしては、周壁の弾性変形により開閉可能なスリット状のゲートを有し、上端が押圧ヘッドの先端ノズル３ｃの下側に当接し、下端が環状帯６ｃの天板６ｃ１の上面に当接するＣ字形状をなす筒体を適用することができる。
【００３７】
上記の構成からなる付替え式吐出容器においては、押圧ヘッド３を繰り返し押し込むことにより、中空ステム２ｂに連係するピストンがシリンダー２ａ内でスライド（昇降移動）する。このスライドにより容器内の内容物は、吸引管Ｓを通してシリンダー２ａ内に吸引されるとともに、加圧、圧縮される。
【００３８】
シリンダー２ａ内で加圧、圧縮された内容物は中空ステム２ｂの送給経路、押圧ヘッド３の内部通路３ｂを通り抜けて先端ノズル３ｃから外界へ向けて噴出することになる。
【００３９】
本発明の付替え式吐出容器は、図２に示す如く押圧ヘッド３が吐出器２の中空ステム２ｂから取り外された状態にあっても、該吐出器２は、容器本体１に連結された状態に保持されており、容器の付替えに際して液だれを起こすことがないし、容器を誤って転倒させたとしても内容物がこぼれ出てしまうこともない。
【００４０】
また、本発明の付替え式吐出容器は、内容物を噴出させる吐出器２が、容器本体１とともに付替えられる使い切りタイプの吐出器となるので、吐出器を使い回しする際に懸念された雑菌の繁殖がなく衛生的であり、しかも、容器の付替え時に内容物が空気に触れるのを回避することができる。
【００４１】
容器本体１を、下端開放部６ｂを通して外装体６の中に収納し、さらに、吐出器２の中空ステム２ｂに押圧ヘッド３を連結するとき、その初期の段階では、中空ステム２ｂの先端が押圧ヘッド３の開口部３ａに若干入り込んだ仮嵌合状態になるが、押圧ヘッド３を数回押し込む（プライミング）ことにより中空ステム２ｂの先端は押圧ヘッド３の開口部３ａの突き当り端まで深く入り込んで嵌合することになる。
【００４２】
なお、押圧ヘッド３を吐出器２から取り外すには、容器本体１を回動させて内筒６ｅとのねじによる連係を解除して該容器本体１を外装体６から引き出せばよい。
【００４３】
本発明に従う付替え式吐出容器の容器本体１としては、胴部１ｃの内側に、容器の底部を形成しかつ該胴部１ｃの内壁面に沿って移動可能なスライダー１１を設け、内容物の減少に伴う減圧効果によって該スライダー１１が吐出器２の吸引口に向けて移動する、例えば、図４示すようなエアレスタイプの容器を適用することも可能であり、かかる構造の吐出容器にあっては、内容物を吸引する吸引パイプＳの取付けが不要となるだけでなく、内容物の残留量も極力減らすことができる利点がある。
【００４４】
なお、エアレスタイプの容器を適用する場合には、底蓋６ｄの底板６ｄ１あるいは周壁６ｄ２には、外装体６の内側へ外気を導入してスライダー１１の移動を容易ならしめるため、必要に応じて少なくとも１つの貫通開孔６ｄ３が設けられる。
【００４５】
また、本発明は、内容物の残留量を減らすのみならず、構造の簡素化、使用材料の削減を図り資源の有効活用を図る観点から、内容物の減少にしたがってそれそのものの縮減を可能とする袋状容器、あるいは内容物の注出に際してそれを充填する内層体が外層体の内面から剥離して内層体が減縮するデラミ容器を容器本体１として適用することもできる。
【００４６】
袋状容器あるいはデラミ容器を適用する場合においても、袋状容器やデラミ容器の内層体の的確な縮減を可能ならしめるため、底蓋６ｄの底板６ｄ１、あるいは周壁６ｄ２については、外装体６の内側に外気が導入できるように、少なくとも１つの貫通開孔６ｄ３を設けておく。
【００４７】
本発明においては、外装体６、押圧ヘッド３、オーバーキャップ１０については、基本的には再利用することになるので、それらの部材に装飾、色彩等を施して豪華ものとすることが可能であり、商品の差別化を図るのに有用である。
【産業上の利用可能性】
【００４８】
本発明によれば、液だれを起こしたり、容器の転倒によって内容物が流出する等の不具合を回避することが可能であり、しかも、簡単な動作で新しい容器に付替えられる付替え式吐出容器を提供することができる。
【符号の説明】
【００４９】
１      容器本体
１ａ    口頚部
１ｂ    肩部
１ｃ    胴部
１ｄ    底部
２      吐出器（ポンプ）
２ａ    シリンダー
２ｂ    中空ステム
３      押圧ヘッド
３ａ    開口部
３ｂ    内部通路
３ｃ    先端ノズル
３ｄ    ベース
４      嵌合部
４ａ    天板
４ｂ    周壁
５      切欠き部
６      外装体
６ａ    上端開放部
６ｂ    下端開放部
６ｃ    環状帯
６ｄ    底蓋
６ｅ    内筒
６ｆ    爪部
６ｇ    ねじ部
７      ねじ部
８      クッション材
９      爪部
１０    オーバーキャップ
１１    スライダー
Ｍ      充填空間
Ｓ      吸引管
Ｐ      隙間部
【図１】
2015044611.tif 000003
【図２】
2015044611.tif 000004
【図３】
2015044611.tif 000005
【図４】
2015044611.tif 000006